(57)【特許請求の範囲】
【請求項１】
底面と設置面との間の水を吸い取る吸水装置を取り付けるための吸水装置取付部を含む第１本体部と、
折り畳み可能な部材により組み立てられている箱型形状に形成され、前記第１本体部と接続する第２本体部とを備える、ウォーターフェンス。
【請求項２】
前記第１本体部および前記第２本体部の底面に配置され、前記第１本体部および前記第２本体部の設置面への設置性を向上させる設置力増強部材をさらに備える、請求項１に記載のウォーターフェンス。
【請求項３】
前記第２本体部は、前記第１本体部を挟み込むように一対設けられており、
前記第１本体部を挟み込んだ状態の一対の前記第２本体部を挟持する連結部材をさらに備える、請求項１または２に記載のウォーターフェンス。
【請求項４】
前記第２本体部は、矩形形状の１枚の部材が折り曲げられた構造を有している、請求項１〜３のいずれか１項に記載のウォーターフェンス。
【請求項５】
前記第２本体部は、細長の直方体形状に形成されている、請求項１〜４のいずれか１項に記載のウォーターフェンス。
【請求項６】
前記箱型形状の第２本体部の上部に取り付けられ、前記第２本体部を補強する補強部材をさらに備える、請求項１〜５のいずれか１項に記載のウォーターフェンス。
【請求項７】
前記第２本体部は、プラスチック製段ボールにより形成されており、
前記第２本体部の底面部のプラスチック製段ボールの筋は、短手方向に延びている、請求項１〜６のいずれか１項に記載のウォーターフェンス。
【請求項８】
前記第１本体部および前記第２本体部と、前記設置力増強部材との間に配置され、前記第１本体部および前記第２本体部の底面を覆う底板をさらに備え、
前記設置力増強部材は、前記底板に貼り付けられている、請求項２に記載のウォーターフェンス。
【請求項９】
前記吸水装置取付部は、パイプ状に形成され、前記第１本体部および前記底板を貫通するように配置されており、
パイプ状の前記吸水装置取付部の下部に締結され、前記第１本体部と、前記底板とを固定する、締結部材をさらに備える、請求項８に記載のウォーターフェンス。
【発明の詳細な説明】
【技術分野】
【０００１】
この発明は、ウォーターフェンスに関する。
【背景技術】
【０００２】
従来、浸水を抑制するためのウォーターブロック（ウォーターフェンス）が知られている（たとえば、特許文献１参照）。
【０００３】
上記特許文献１には、洪水などによって大量の水が流れ出た場合、水を注水して、流出した水による浸水を防ぐ防水壁として機能させるためのウォーターブロック（ウォーターフェンス）が開示されている。この特許文献１のウォーターブロックは、折り畳み可能に構成されている。
【先行技術文献】
【特許文献】
【０００４】
【特許文献１】特開２０００−１４４６７２号公報
【発明の概要】
【発明が解決しようとする課題】
【０００５】
しかしながら、上記特許文献１のウォーターブロックは、水を注水して防水壁を構成する発明であるが、ウォーターブロックの比重と浸水しようとする水の比重とが略等しいため、ウォーターブロックが浮き上がり流されやすくなるという不都合がある。このため、ウォーターブロックの重量を大きくするために、ウォーターブロックを浸水しようとする水の水位よりも過度に高く積み上げる必要があるという問題点がある。
【０００６】
この発明は、上記のような課題を解決するためになされたものであり、この発明の１つの目的は、折り畳み可能なウォーターフェンスにおいて、高く積み上げることなく、浸水を効果的に抑制することが可能なウォーターフェンスを提供することである。
【課題を解決するための手段】
【０００７】
この発明の一の局面によるウォーターフェンスは、底面と設置面との間の水を吸い取る吸水装置を取り付けるための吸水装置取付部を含む第１本体部と、折り畳み可能な部材により組み立てられている箱型形状に形成され、第１本体部と接続する第２本体部とを備える。
【０００８】
この発明の一の局面によるウォーターフェンスでは、上記のように構成することによって、吸水装置によりウォーターフェンスの底面と設置面との間の水が空気とともに吸い取られるので、ウォーターフェンスの底面と設置面との間に負圧を発生させることができる。これにより、ウォーターフェンスが設置面に対して浮き上がるのを抑制することができるので、ウォーターフェンスの総重量を小さくした場合でも、ウォーターフェンスが水に流されるのを抑制することができる。これにより、ウォーターフェンスを高く積み上げる必要がない。また、吸水装置により、侵入しようとする水を排出することができるので、浸水を効果的に抑制することができる。また、第２本体部を折り畳むことができるので、ウォーターフェンスの保管時のスペースが大きくなるのを抑制することができる。
【０００９】
上記一の局面によるウォーターフェンスにおいて、好ましくは、第１本体部および第２本体部の底面に配置され、第１本体部および第２本体部の設置面への設置性を向上させる設置力増強部材をさらに備える。このように構成すれば、凹凸のある設置面に対しての設置性や水密性を向上させることができるので、安定してウォーターフェンスを設置することができる。その結果、ウォーターフェンスの底面からの浸水を効果的に抑制することができる。
【００１０】
上記一の局面によるウォーターフェンスにおいて、好ましくは、第２本体部は、第１本体部を挟み込むように一対設けられており、第１本体部を挟み込んだ状態の一対の第２本体部を挟持する連結部材をさらに備える。このように構成すれば、折り畳み可能な第２本体部および第１本体部を容易に連結させることができるので、ウォーターフェンスを容易に組み立てることができる。
【００１１】
上記一の局面によるウォーターフェンスにおいて、好ましくは、第２本体部は、矩形形状の１枚の部材が折り曲げられた構造を有している。このように構成すれば、ウォーターフェンスの保管時に、第２本体部を容易に小さく折り畳むことができるので、保管時のスペースを効果的に小さくすることができる。
【００１２】
上記一の局面によるウォーターフェンスにおいて、好ましくは、第２本体部は、細長の直方体形状に形成されている。このように構成すれば、ウォーターフェンスを細長形状にすることができるので、建物の出入り口にウォーターフェンスを設置した場合などに、細長形状のウォーターフェンスにより、建物内への浸水を抑制することができるとともに、ウォーターフェンスを跨いで容易に建物に出入りすることができる。
【００１３】
上記一の局面によるウォーターフェンスにおいて、好ましくは、箱型形状の第２本体部の上部に取り付けられ、第２本体部を補強する補強部材をさらに備える。このように構成すれば、折り畳み可能な第２本体部の機械的強度を補強部材により高めることができるので、ウォーターフェンスが、押し寄せる水や、重りとして入れる水などにより変形するのを抑制することができる。
【００１４】
上記一の局面によるウォーターフェンスにおいて、好ましくは、第２本体部は、プラスチック製段ボールにより形成されており、第２本体部の底面部のプラスチック製段ボールの筋は、短手方向に延びている。このように構成すれば、プラスチック製段ボールにより、第２本体部を容易に組み立てることができる。また、箱型形状の底面のプラスチック製段ボールの筋を短手方向に配置することにより、水が押し寄せる方向の第２本体部の機械的強度を高めることができるので、ウォーターフェンスが、押し寄せる水により変形するのを抑制することができる。
【００１５】
上記設置力増強部材を備える構成において、好ましくは、第１本体部および第２本体部と、設置力増強部材との間に配置され、第１本体部および第２本体部の底面を覆う底板をさらに備え、設置力増強部材は、底板に貼り付けられている。このように構成すれば、設置力増強部材を第１本体部および第２本体部の底面に容易に取り付けることができるので、ウォーターフェンスを短時間で組み立てることができる。
【００１６】
この場合、好ましくは、吸水装置取付部は、パイプ状に形成され、第１本体部および底板を貫通するように配置されており、パイプ状の吸水装置取付部の下部に締結され、第１本体部と、底板とを固定する、締結部材をさらに備える。このように構成すれば、第１本体部と底板とを確実に連結することができるので、ウォーターフェンスの底部からの浸水を効果的に抑制することができる。
【発明の効果】
【００１７】
本発明によれば、上記のように、折り畳み可能なウォーターフェンスにおいて、高く積み上げることなく、浸水を効果的に抑制することができる。
【図面の簡単な説明】
【００１８】
【図１】本発明の一実施形態によるウォーターフェンスを上方から見た斜視図である。
【図２】本発明の一実施形態によるウォーターフェンスを下方から見た斜視図である。
【図３】本発明の一実施形態によるウォーターフェンスの分解斜視図である。
【図４】本発明の一実施形態によるウォーターフェンスの補強部材を示した斜視図である。
【図５】本発明の一実施形態によるウォーターフェンスの第２本体部を展開した状態の平面図である。
【図６】本発明の一実施形態によるウォーターフェンスの第２本体部の組み立てを説明するための図である。
【図７】本発明の一実施形態によるウォーターフェンスを底面側から見た図である。
【図８】本発明の一実施形態によるウォーターフェンスのパイプの底部付近を示した側面図である。
【図９】本発明の一実施形態によるウォーターフェンスの第２本体部の特性を示した表である。
【図１０】本発明の一実施形態によるウォーターフェンスの設置力増強部材の特性を示した表である。
【図１１】本発明の一実施形態によるウォーターフェンスの設置力増強部材の水透過の特性を示した表である。
【図１２】本発明の一実施形態によるウォーターフェンスのチューブ材の特性を示した表である。
【図１３】本発明の一実施形態の第１変形例によるウォーターフェンスの第２本体部の組み立てを説明するための図である。
【図１４】本発明の一実施形態の第２変形例によるウォーターフェンスの第２本体部を展開した状態の平面図である。
【図１５】本発明の一実施形態の第３変形例によるウォーターフェンスの第２本体部の組み立てを説明するための図である。
【発明を実施するための形態】
【００１９】
以下、本発明の実施形態を図面に基づいて説明する。
【００２０】
図１〜図１２を参照して、本発明の一実施形態によるウォーターフェンス１００の構成について説明する。
【００２１】
（ウォーターフェンスの構成）
図１〜図１２を参照して、本発明の一実施形態について説明する。本実施形態によるウォーターフェンス１００は、建物への浸水を防いだり、工事現場などにおいて水を長時間せき止めたり、流れを有する河川などをせき止めたりするために用いられる。ウォーターフェンス１００は、図１および図２に示すように、ウォーターフェンス本体部１と、設置力増強部材２とを備えている。ウォーターフェンス１００は、Ｘ方向に延びる細長形状を有しており、Ｙ方向の水を止めるように設置される。また、図１に示すように、ウォーターフェンス１００には、自吸機能を有した自吸ポンプ（以下「ポンプ」と称す）３が接続されている。ポンプ３は、急な増水に対しても信頼性の高い水没使用が可能な防水構造を有するポンプとすることが望ましい。また、ウォーターフェンス本体部１には、重りとして水を注水したり、ペットボトルなどの重り部材を配置可能に構成されている。また、ウォータフェンス１００は、図２に示すように、設置力増強部材２の底面に配置されたチューブ材４を備えている。なお、ポンプ３は、特許請求の範囲の「吸水装置」の一例である。
【００２２】
ウォーターフェンス本体部１は、図１に示すように、第１本体部１１と、第２本体部１２と、連結部材１３と、パイプ１４と、補強部材１５（図４参照）と、底板１６とを含んでいる。図３に示すように、第１本体部１１は、貫通穴１１１を有している。第２本体部１２は、重り収容部１２１を有している。なお、パイプ１４は、特許請求の範囲の「吸水装置取付部」の一例である。
【００２３】
ウォーターフェンス本体部１は、浸水を防止するための堰を形成している。具体的には、ウォーターフェンス本体部１は、柱や壁或いは扉（図示せず）などの前面側（Ｙ２方向側）に配置され、背面側（Ｙ１方向側）への浸水を防止する堰を形成している。また、ウォーターフェンス本体部１は、図１に示すように、第１本体部１１のＸ方向の両端に、それぞれ、第２本体部１２が連結されている。また、ウォーターフェンス本体部１は、複数に分割可能に構成されている。具体的には、第２本体部１２は、第１本体部１１に対してＸ方向に隣接して配置されている。
【００２４】
また、第２本体部１２は、Ｘ方向において第１本体部１１を挟むように一対設けられている。一対の第２本体部１２は、第１本体部１１を挟み込んだ状態で、弾性を有する連結部材１３により挟持されることにより、連結されている。具体的には、図１および図３に示すように、一対の第２本体部１２が第１本体部１１を挟んでＸ方向に隣接して配置された状態で、上方向（Ｚ１方向）に設けられた連結部材１３により、第１本体部１１および一対の第２本体部１２が連結されている。連結部材１３は、Ｙ方向において第１本体部１１の貫通穴１１１の両側に設けられている。
【００２５】
第１本体部１１は、水を透過させない素材により形成されている。第１本体部１１は、たとえば、ゴムや樹脂或いは金属などにより形成されている。好ましくは、第１本体部１１は、弾性材料により形成されている。また、第１本体部１１は、第２本体部１２よりも比重が大きい材料により形成されている。
【００２６】
図３に示すように、第１本体部１１には、上下方向（Ｚ方向）に延びる貫通穴１１１が設けられている。貫通穴１１１には、ポンプ３が接続されるためのパイプ１４が挿入されている。また、第１本体部１１のＸ方向の長さは、Ｙ方向の長さよりも小さい。
【００２７】
ここで、本実施形態では、図１に示すように、第２本体部１２は、Ｘ方向に延びるように形成されている。また、第２本体部１２は、水を透過させない素材により形成されている。また、第２本体部１２は、折り畳み可能な部材により組み立てられている箱型形状に形成されている。具体的には、第２本体部１２は、細長の直方体形状に形成されている。第２本体部１２は、たとえば、プラスチック製段ボールにより形成されている。プラスチック製段ボールの厚さは、３ｍｍ以上５ｍｍ以下程度である。プラスチック製段ボールは、ポリプロピレンなどのプラスチックにより形成されている。プラスチック製段ボールは、波状の芯部材を外側の一対の平板状の部材により挟み込んで形成されている。つまり、プラスチック製段ボールは、芯部材の波の筋方向により、異なる機械的強度を有している。具体的には、プラスチック製段ボールの筋方向の圧縮強度は、筋方向と直交する方向の圧縮強度より強い。
【００２８】
また、図５および図６に示すように、第２本体部１２は、矩形形状の１枚の部材が折り曲げられた構造を有するように構成されている。具体的には、図５に示すように、第２本体部１２は、１つの底面１２ａと、一対の第１側面１２ｂと、一対の第２側面１２ｃと、４つの折返部１２ｄとを有している。底面１２ａは、Ｘ方向に延びる矩形形状を有している。一対の第１側面１２ｂは、底面１２ａに接続され、互いに対向するように組み立てられる。一対の第２側面１２ｃは、底面１２ａに接続され、互いに対向するように組み立てられる。折返部１２ｄは、図６に示すように、内側に折り返されて第２本体部１２が組み立てられる。第２本体部１２が組み立てられた状態で、折返部１２ｄが第１側面１２ｂに固定される。たとえば、折返部１２ｄおよび第１側面１２ｂは、クリップにより挟み込まれて固定されたり、マジックテープ（登録商標）やファスナーなどにより固定される。なお、折返部１２ｄは、第２側面１２ｃと固定されてもよいし、第２本体部１２の外側で固定されてもよい。
【００２９】
また、図５に示すように、第２本体部１２の底面部のプラスチック製段ボールの筋は、短手方向に延びている。つまり、プラスチック製段ボールの筋は、底面１２ａにおいて、矩形形状の底面１２ａの短手方向（Ｙ方向）に沿って延びている。また、プラスチック製段ボールの筋は、第１側面１２ｂにおいて、上下方向（Ｚ方向）に沿って延びている。プラスチック製第ボールの筋は、第２側面１２ｃにおいて、水平方向（Ｙ方向）に沿って延びている。これにより、底面１２ａおよび第２側面１２ｃにより、Ｙ方向の機械的強度を高めることが可能である。また、第１側面１２ｂにより、上下方向の機械的強度を高めることが可能である。
【００３０】
図１に示すように、第２本体部１２の重り収容部１２１には、重りとして水を注水したり、ペットボトルなどが取り付けられるように構成されている。第２本体部１２の重り収容部１２１に水を注水したり、ペットボトルなどの重りが取り付けられることによりウォーターフェンス１００に加わる荷重を増すことが可能なように構成されている。なお、重り収容部１２１に、石、砂、土などを入れて重りとしてもよい。
【００３１】
パイプ１４は、第１本体部１１の貫通穴１１１に挿入されている。パイプ１４は、たとえば、金属により形成されている。また、パイプ１４は、略Ｌ字形状に形成されている。パイプ１４には、設置面とウォーターフェンス１００との間の水を吸い取るポンプ３が取り付けられるように構成されている。具体的には、パイプ１４の上側（Ｚ１方向側）の端部には、ポンプ３に接続される管（ホースなど）が接続されるように構成されている。パイプ１４の下側（Ｚ２方向側）の端部は、図８に示すように、底板１６の下方に配置されている。これにより、ウォーターフェンス本体部１の底面と設置面との間の水が、ポンプ３により吸水される。なお、パイプ１４の吸水口部に、異物除去用のフィルターを設けてもよい。これにより、ポンプ３によって吸い込み、排出される水からゴミなどの異物を除去することができるので、緊急時の水として活用することも可能である。なお、フィルターは吸込みから排出までの間に設けられれば良いので、ポンプ３の吸水用ホースなどに設けてもよい。
【００３２】
パイプ１４は、第１本体部１１および底板１６を貫通するように配置されている。また、図８に示すように、パイプ１４の下部の外周には、ネジ山が切られている。パイプ１４は、締結部材１４１と締結されて、第１本体部１１と、底板１６とを固定している。締結部材１４１は、たとえば、ナットである。
【００３３】
補強部材１５は、図１および図３に示すように、箱型形状の第２本体部１２の上部に取り付けられ、第２本体部１２を補強するように構成されている。具体的には、補強部材１５は、第２本体部１２の上方から差し込まれるように係合して、第２本体部１２のＹ方向の機械的強度を補強するように構成されている。補強部材１５は、たとえば、樹脂やゴムまたはプラスチック製段ボールにより形成されている。また、補強部材１５は、図４に示すように、係合部１５１と、壁部１５２と、下部折曲部１５３とを有している。係合部１５１は、Ｙ方向の内側に折り曲げられた折曲部１５１ａを含む。係合部１５１は、補強部材１５の上部のＹ方向の両側に設けられている。係合部１５１は、第２本体部１２のＹ方向の外側の側面と係合するように構成されている。係合部１５１の折曲部１５１ａが第２本体部１２のＹ方向の外側の側面に当接している。これにより、重りとして第２本体部１２に水を注水したとしても、第２本体部１２が内側からＹ方向外側に向けて広がることを抑制することが可能である。壁部１５２は、第２本体部１２のＹ方向に対向する側面の両方に当接して、第２本体部１２のＹ方向に対向する側面の距離を保つように構成されている。下部折曲部１５３は、壁部１５２の下に接続され、Ｘ方向に折り曲げられている。下部折曲部１５３は、壁部１５２と同様に、第２本体部１２のＹ方向に対向する内側の側面の両方に当接して、第２本体部１２のＹ方向に対向する側面の距離を保つように構成されている。たとえば、第２本体部１２が浸水しようとする水から外力を受けたとしても第２本体部１２が外側からＹ方向に変形することを抑制することが可能である。
【００３４】
底板１６は、図３に示すように、第１本体部１１および第２本体部１２と、設置力増強部材２との間に配置されている。また、底板１６は、第１本体部１１および第２本体部１２の底面を覆うように配置されている。また、底板１６は、Ｘ方向に分割されて、２つ設けられている。具体的には、底板１６は、Ｘ方向において、ウォーターフェンス本体部１のＸ方向における長さの略半分の長さを有するように形成されている。また、底板１６には、パイプ１４を通すための切り欠き１６１が設けられている。また、底板１６には、設置力増強部材２が貼り付けられている。また、底板１６は、樹脂などにより形成されている。また、底板１６の厚さは、０．５ｍｍ以上１ｍｍ以下程度である。
【００３５】
図２に示すように、設置力増強部材２は、ウォーターフェンス本体部１の底面に配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３６】
具体的には、設置力増強部材２は、ウォーターフェンス本体部１の自重と、重りの重力と、ポンプ３が吸水することにより生じる負圧とにより、圧縮されて、水の透過率が所定の値となることにより、ウォーターフェンス本体部１の底面と設置面との間に外部からの水を所定量透過させてポンプ３の自吸水を確保するように構成されている。
【００３７】
設置力増強部材２は、半連続気泡構造を有しており、圧縮変形されることにより水の透過率が変化するように構成されている。設置力増強部材２は、たとえば、半連続気泡構造の気孔率５０％〜６０％程度のやわらかいスポンジ材により形成されている。また、設置力増強部材２は、半連続気泡構造のスポンジが圧縮されることによりスポンジの孔が小さくなり、水の透過率が変わるように構成されている。また、設置力増強部材２は、圧縮力がかからない状態において、たとえば、約２０ｍｍ以上約３０ｍｍ以下の高さを有する。重り収容部１２１に重りが取り付けられ、ポンプ３が駆動された場合、半連続気泡構造のスポンジは５０〜８０％程度圧縮されることが望ましい。また、設置力増強部材２は、第１本体部１１よりも柔らかい材料により形成されている。
【００３８】
設置力増強部材２は、ウォーターフェンス本体部１の自重と、重り収容部１２１に取り付けられた重りと、ポンプ３の吸引力によって生じる負圧とにより圧縮されるように構成されている。また、ポンプ３は設置力増強部材２を透過した水を、設置面内側の空間の空気と共に吸引するように構成されている。つまり、設置力増強部材２により吸水された水がパイプ１４を介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００３９】
また、ポンプ３により、設置力増強部材２を透過した水を、設置面内側の空間の空気と共に吸引することにより、ウォーターフェンス本体部１と設置面との間の空間の真空度が上げられる（空間の気圧が下がる）。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００４０】
また、設置力増強部材２は、両面テープなどの接着層を介して、底板１６に取り付けられる。また、図２および図７に示すように、設置力増強部材２は、平面視において（Ｚ方向から見て）、ウォーターフェンス本体部１の底面の外周部に環状に配置されている。
【００４１】
また、設置力増強部材２は、図３に示すように、分割可能に構成されている。具体的には、２つの設置力増強部材２は、一対の底板１６の各々に取り付けられるように分割される。つまり、設置力増強部材２を一対の底板１６に各々取り付けた状態で、第１本体部１１、第２本体部１２および底板１６を、分割すること、または、組み立てることが可能である。
【００４２】
また、２つの設置力増強部材２のうち少なくとも一方は、組み立てる前において、第１本体部１１側の端部が底板１６からＸ方向にはみ出している。たとえば、Ｘ１方向側の設置力増強部材２のＸ２側の端部が、Ｘ１方向側の底板１６のＸ２側の端部よりも５ｍｍ程度突出している。なお、Ｘ２方向側の設置力増強部材２のＸ１側の端部が、Ｘ２方向側の底板１６のＸ１側の端部よりも５ｍｍ程度突出していてもよい。また、Ｘ１方向側の設置力増強部材２のＸ２側の端部が、Ｘ１方向側の底板１６のＸ２側の端部よりも３ｍｍ程度突出し、かつ、Ｘ２方向側の設置力増強部材２のＸ１側の端部が、Ｘ２方向側の底板１６のＸ１側の端部よりも３ｍｍ程度突出していてもよい。また、Ｘ１方向側の設置力増強部材２のＹ方向における一方側のＸ２側の端部が、Ｘ１方向側の底板１６のＸ２側の端部よりも５ｍｍ程度突出し、かつ、Ｘ２方向側の設置力増強部材２のＹ方向における他方側のＸ１側の端部が、Ｘ２方向側の底板１６のＸ１側の端部よりも５ｍｍ程度突出していてもよい。また、突出量は、ウォーターフェンス１００のＸ方向の長さ、設置力増強部材２の硬さなどに応じて適宜設定してもよい。これにより、２つの底板１６のＸ方向の端部同士を合わせた場合に、２つの底板１６に各々取り付けられた設置力増強部材２同士が圧縮されて端部が合わされる。これにより、２つの設置力増強部材２の端部間に隙間が生じるのを抑制して、密着させた状態でウォーターフェンス１００を組み立てることができるので、ウォーターフェンス本体部１と設置面との間の気密性を高めることができる。その結果、ポンプ３の吸引により、ウォーターフェンス本体部１と設置面との間の空間の真空度を効果的に上げる（空間の気圧を下げる）ことが可能である。
【００４３】
ポンプ３は、ウォーターフェンス本体部１の底面と設置面との間の水を吸い取るように構成されている。また、ポンプ３は、水深が浅い水を吸水可能に構成されている。これにより、ポンプ３は、設置面とウォーターフェンス本体部１の底面との間に浸水した少量の水を効果的に排水することが可能である。
【００４４】
図２に示すように、チューブ材４は、設置力増強部材２の底面に配置されている。また、チューブ材４は、設置力増強部材２よりも低い吸水率を有するとともに、設置力増強部材２よりも柔らかい。具体的には、チューブ材４は、中空形状を有する管状部材である。また、チューブ材４は、外力により変形しやすい材料により形成されている。たとえば、チューブ材４は、ゴムにより形成されている。また、チューブ材４は、断面形状が楕円形状を有している。また、チューブ材４は、たとえば、１．５ｍｍ程度の肉厚を有する管状部材である。また、チューブ材４は、設置力増強部材２に、接着層を介して貼りつけられている。たとえば、チューブ材４は、ゲル状の瞬間接着材により設置力増強部材２に接着されている。なお、接着層は、テープ等であってもよい。また、接着層は、耐水性があるものが好ましい。
【００４５】
また、チューブ材４は、設置面の目地などの凹凸に食い込むように構成されている。つまり、チューブ材４は、ウォーターフェンス本体部１の自重と、重り収容部１２１に取り付けられた重りと、ポンプ３の吸引力によって生じる負圧とにより圧縮されるように構成されている。これにより、チューブ材４が設置面の凹凸にフィッティングするように構成されている。また、チューブ材４が圧縮されて変形することにより、設置力増強部材２も設置面に密着して接するように構成されている。
【００４６】
また、チューブ材４は、設置力増強部材２よりも小さい幅を有する。たとえば、チューブ材４は、設置力増強部材２の１／４程度の幅を有する。また、チューブ材４は、設置面の目地などの凹凸の深さと同程度、または、少し大きい高さを有する。たとえば、チューブ材４は、１０ｍｍ以下の高さを有する。
【００４７】
また、図２および図７に示すように、チューブ材４は、設置力増強部材２に沿って配置されている。具体的には、チューブ材４は、平面視において（Ｚ方向に見て）略ロ字形状に配置された設置力増強部材２に沿って、略ロ字形状に配置されている。また、チューブ材４は、設置力増強部材２の略中央に配置されている。また、チューブ材４は、図３に示すように、分割可能に構成されている。
【００４８】
また、図７に示すように、分割されたチューブ材４は、平面視において（Ｚ方向に見て）、互いに端部がずれた状態で配置されている。具体的には、図７に示すように、Ｘ１側のチューブ材４は、端部がＹ方向における外側に曲げられて、Ｘ２側のチューブ材４に対して端部がずれるように配置されている。つまり、チューブ材４は、設置力増強部材２の中心位置を通るように配置されている。そして、Ｘ１側のチューブ材４の端部が設置力増強部材２の中心位置から外側になるように配置されている。
【００４９】
図９を参照して、第２本体部１２の特性の一例について説明する。
【００５０】
図９に示すように、第２本体部１２は、たとえば、見掛け密度が１６７ｋｇ／ｍ3であり、エンドクラッシュが、筋方向において６３Ｎであり、筋と垂直方向において６Ｎである。なお、エンドクラッシュは、プラスチック製ダンボールの板方向に沿って、圧縮荷重をかけて、折れる際の機械的強度を測定したものである。また、このエンドクラッシュは、５０ｍｍ間隔で測定している。また、フラットクラッシュが、３００ｋＰａである。なお、フラットクラッシュは、プラスチック製段ボールの板方向と直交する方向に荷重をかけて、座屈する際の機械的強度を測定したものである。
【００５１】
図１０を参照して、設置力増強部材２の特性の一例について説明する。
【００５２】
図１０に示すように、設置力増強部材２は、たとえば、見掛け密度が１１０ｋｇ／ｍ3であり、引張強さが８０ｋＰａであり、伸びが４５０％である。また、設置力増強部材２は、圧縮硬さが、圧縮率が２５％の場合、３．３ｋＰａであり、圧縮率が５０％の場合、４．５ｋＰａである。
【００５３】
図１１を参照して、設置力増強部材２の特性（水透過）の一例について説明する。
【００５４】
図１１に示すように、水透過について、設置力増強部材２は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、設置力増強部材２は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、設置力増強部材２は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００５５】
設置力増強部材２に用いる気孔率５０％〜６０％程度の半連続気泡構造のスポンジ材は、図１１に示す一例のように、圧縮率に応じた透過率となる。また、設置力増強部材２は、５０％以上８０％以下の圧縮率になるように圧縮抑制することにより、半連続気泡構造のスポンジを透過する水量をポンプ３の呼び水として適度な透過水量に抑えることが可能である。また、設置力増強部材２（スポンジ）を透過した水をポンプ３で排水するのでウォーターフェンス本体部１を越えて浸水させないようにすることが可能である。つまり、ポンプ３を駆動させた場合に、設置力増強部材２の圧縮率が５０％以上８０％以下になることが好ましい。
【００５６】
図１２を参照して、チューブ材４の特性の一例について説明する。
【００５７】
図１２に示すように、チューブ材４は、たとえば、見掛け密度が７８０ｋｇ／ｍ3であり、引張強さが３４０ｋＰａであり、伸びが７５０％である。つまり、チューブ材４は、設置力増強部材２よりも柔らかい。また、チューブ材４は、２００％に伸ばした際の引張応力が８０ｋＰａである。なお、引張強さ、伸び率、２００％引張応力は、長さ１０ｃｍのチューブ材４に２．５ｍｍほどの切り込みを入れて試験を行った。また、チューブ材４は、吸水率が１．０％以下である。つまり、チューブ材４は、設置力増強部材２よりも低い吸水率を有する。
【００５８】
（実施形態の効果）
本実施形態では、以下のような効果を得ることができる。
【００５９】
本実施形態では、上記のように、ポンプ３によりウォーターフェンス１００の底面と設置面との間の水が空気とともに吸い取られるので、ウォーターフェンス１００の底面と設置面との間に負圧を発生させることができる。これにより、ウォーターフェンス１００が設置面に対して浮き上がるのを抑制することができるので、ウォーターフェンス１００の総重量を小さくした場合でも、ウォーターフェンス１００が水に流されるのを抑制することができる。これにより、ウォーターフェンス１００を高く積み上げる必要がない。また、ポンプ３により、侵入しようとする水を排出することができるので、浸水を効果的に抑制することができる。また、第２本体部１２を折り畳むことができるので、ウォーターフェンス１００の保管時のスペースが大きくなるのを抑制することができる。
【００６０】
また、本実施形態では、上記のように、第１本体部１１および第２本体部１２の底面に配置され、第１本体部１１および第２本体部１２の設置面への設置性を向上させる設置力増強部材２を設ける。これにより、凹凸のある設置面に対しての設置性や水密性を向上させることができるので、安定してウォーターフェンス１００を設置することができる。その結果、ウォーターフェンス１００の底面からの浸水を効果的に抑制することができる。
【００６１】
また、本実施形態では、上記のように、第１本体部１１を挟み込んだ状態の一対の第２本体部１２を挟持する連結部材１３を設ける。これにより、折り畳み可能な第２本体部１２および第１本体部１１を容易に連結させることができるので、ウォーターフェンス１００を容易に組み立てることができる。
【００６２】
また、本実施形態では、上記のように、第２本体部１２を、矩形形状の１枚の部材が折り曲げられた構造を有するように構成する。これにより、ウォーターフェンス１００の保管時に、第２本体部１２を容易に小さく折り畳むことができるので、保管時のスペースを効果的に小さくすることができる。
【００６３】
また、本実施形態では、上記のように、第２本体部１２を、細長の直方体形状に形成する。これにより、ウォーターフェンス１００を細長形状にすることができるので、建物の出入り口にウォーターフェンス１００を設置した場合などに、細長形状のウォーターフェンス１００により、建物内への浸水を抑制することができるとともに、ウォーターフェンス１００を跨いで容易に建物に出入りすることができる。
【００６４】
また、本実施形態では、上記のように、箱型形状の第２本体部１２の上部に取り付けられ、第２本体部１２を補強する補強部材１５を設ける。これにより、折り畳み可能な第２本体部１２の機械的強度を補強部材１５により高めることができるので、ウォーターフェンス１００が、押し寄せる水や、重りとして入れる水などにより変形するのを抑制することができる。
【００６５】
また、本実施形態では、上記のように、第２本体部１２を、プラスチック製段ボールにより形成する。これにより、第２本体部１２を容易に組み立てることができる。また、第２本体部１２の底面部のプラスチック製段ボールの筋は、短手方向に延びている。これにより、水が押し寄せる方向の第２本体部１２の機械的強度を高めることができるので、ウォーターフェンス１００が、押し寄せる水により変形するのを抑制することができる。
【００６６】
また、本実施形態では、上記のように、第１本体部１１および第２本体部１２と、設置力増強部材２との間に配置され、第１本体部１１および第２本体部１２の底面を覆う底板１６を設け、設置力増強部材２を、底板１６に貼り付ける。これにより、事前に設置力増強部材２を底板１６に、また、チューブ材４を設置力増強部材２に貼り付けておくことで、設置力増強部材２およびチューブ材４を第１本体部１１および第２本体部１２の底面に容易に取り付けることができるので、ウォーターフェンス１００を短時間で組み立てることができる。
【００６７】
また、本実施形態では、上記のように、パイプ１４を、第１本体部１１および底板１６を貫通するように配置し、パイプ１４の下部に締結され、第１本体部１１と、底板１６とを固定する締結部材１４１を設ける。これにより、第１本体部１１と底板１６とを確実に連結することができるので、ウォーターフェンス１００の底部からの浸水を効果的に抑制することができる。
【００６８】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６９】
たとえば、上記実施形態では、第２本体部を１枚の部材を折り曲げて形成する構成の例を示したが、本発明はこれに限らない。本発明では、図１３に示す第１変形例のように、第２本体部１２を、箱型形状で、かつ、折り曲げ可能に形成してもよい。つまり、第２本体部１２は、底面部および側面部を折り曲げて、折り畳み、平らな状態にして、さらに、折り畳むことが可能としてもよい。
【００７０】
また、上記実施形態では、１枚の部材から１つの第２本体部を組み立てる構成の例を示したが、本発明はこれに限らない。本発明では、図１４に示す第２変形例のように、１枚の部材を中央で２つに切断して、２つの第２本体部を組み立ててもよい。この場合、切断せずに、１つの長い第２本体部を組み立ててもよい。また、１枚の部材から３つ以上の第２本体部を組み立ててもよい。なお、折り曲げる部分は、折り目ではなく、目印となる線が付されていることが好ましい。
【００７１】
また、上記実施形態では、第２本体部を１枚の部材を折り曲げて形成する際に、折返部を長手方向に延びる側面である第１側面に固定させる構成の例を示したが、本発明はこれに限らない。本発明では、図１５に示す第３変形例のように、折返部を短手方向に延びる側面である第２側面に固定させてもよい。これにより、第２本体部の短手方向に延びる第２側面の強度を大きくすることができる。
【００７２】
また、上記実施形態では、設置力増強部材が底板に貼り付けられている構成の例を示したが、本発明はこれに限らない。本発明では、底板を設けずに、設置力増強部材を、第１本体部および第２本体部に貼り付けるようにしてもよい。
【００７３】
また、上記実施形態では、第２本体部をプラスチック製段ボールにより形成する構成の例を示したが、本発明はこれに限らない。本発明では、第２本体部を、水を透過させないで、かつ、折り畳み可能で自立する素材であれば、プラスチック製段ボール以外により形成してもよい。
【００７４】
また、上記実施形態では、補強部材を設ける構成の例を示したが、本発明はこれに限らない。本発明では、補強部材を設けなくてもよい。また、上記実施形態では、補強部材が４つ設けられている構成の例を示したが、本発明はこれに限らない。補強部材は、１つ以上３つ以下設けられていてもよいし、５つ以上設けられていてもよい。
【００７５】
また、上記実施形態では、ウォーターフェンスが一対の第２本体部を備える構成の例を示したが、本発明はこれに限らない。本発明では、第１本体部を挟むように一体の第２本体部を配置してもよいし、第１本体部の一方側のみに第２本体部を配置してもよい。また、ウォーターフェンスが３つ以上の第２本体部を備えていてもよい。
【００７６】
また、上記実施形態では、ウォーターフェンスが直線的に形成されている構成の例を示したが、本発明はこれに限らない。本発明では、ウォーターフェンスが折れ曲がるように形成されていてもよい。
【００７７】
また、上記実施形態では、ウォーターフェンスに入れる重りとして水を注水したり、ペットボトルを用いた例を示したが、本発明はこれに限らない。本発明では、水やペットボトル以外の部材を重りとして用いてもよい。たとえば、バーベルや石などを重りとして用いてもよい。
【００７８】
また、上記実施形態では、第１本体部にパイプ（吸水装置取付部）を挿入する構成の例を示したが、本発明はこれに限らない。本発明では、第１本体部にパイプを挿入せずに、吸水装置と接続してもよい。つまり、第１本体部に吸水装置取付部を一体的に設けてもよい。
【００７９】
また、上記実施形態では、設置力増強部材が、１層により形成されている例を示したが、本発明はこれに限らない。本発明では、設置力増強部材を２層以上により形成してもよい。
【００８０】
たとえば、設置力増強部材を１層により形成した場合、設置力増強部材を、気孔率８０％〜９０％程度のスポンジ材により形成してもよい。また、設置力増強部材を、吸水率が大きい材料により形成してもよい。たとえば、設置力増強部材を、ＰＶＡ（ポリビニールアルコール）製のスポンジ材により形成してもよい。
【００８１】
また、上記実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【符号の説明】
【００８２】
２  設置力増強部材
３  ポンプ（吸水装置）
１１  第１本体部
１２  第２本体部
１３  連結部材
１４  パイプ（吸水装置取付部）
１５  補強部材
１６  底板
１００  ウォーターフェンス
１４１  締結部材
【図１】
0006591344.tif 000002
【図２】
0006591344.tif 000003
【図３】
0006591344.tif 000004
【図４】
0006591344.tif 000005
【図５】
0006591344.tif 000006
【図６】
0006591344.tif 000007
【図７】
0006591344.tif 000008
【図８】
0006591344.tif 000009
【図９】
0006591344.tif 000010
【図１０】
0006591344.tif 000011
【図１１】
0006591344.tif 000012
【図１２】
0006591344.tif 000013
【図１３】
0006591344.tif 000014
【図１４】
0006591344.tif 000015
【図１５】
0006591344.tif 000016